(57)【要約】【課題】アコースティックスピーカの提供。【解決手段】アコースティックスピーカ１は、  −金属アーマチュア７と、  −アーマチュアに締結されたプラスチックシェル９であって、シェルが少なくとも２つの開口１１Ａ、１１Ｂを形成する、プラスチックシェルと、  −横断軸線Ｔに沿って頭尾式に配列された少なくとも２つのラウドスピーカ（１３Ａ、１３Ｂ）であって、２つのラウドスピーカがそれぞれ２つの開口を通過して延びる、少なくとも２つのラウドスピーカと、  を含む。  シェルは一体型であって、シェルとアーマチュアの外側部分１９は、長手軸Ｌに沿って相互に入れ子構成するのに適し、外側部分とシェルは、少なくとも部分的にアコースティックスピーカの内部容積２３を形成する。【選択図】図２
2020061738.tif 000002
【特許請求の範囲】
【請求項１】
−金属アーマチュア（７）と、
−前記アーマチュア（７）に締結されたプラスチックシェル（９）であって、前記シェル（９）が少なくとも２つの開口（１１Ａ、１１Ｂ）を形成する、プラスチックシェルと、
−横断軸線（Ｔ）に沿って背中合わせに配列された少なくとも２つのラウドスピーカ（１３Ａ、１３Ｂ）であって、前記２つのラウドスピーカ（１３Ａ、１３Ｂ）がそれぞれ前記２つの開口（１１Ａ、１１Ｂ）を通過して延びる、少なくとも２つのラウドスピーカと、
を備える、アコースティックスピーカ（１）において、
−前記シェル（９）が一体型であり、
−前記シェル（９）と前記アーマチュア（７）の外側部分（１９）が、長手軸線（Ｌ）に沿って相互に入れ子構成するのに適し、前記外側部分（１９）と前記シェル（９）が、少なくとも部分的にアコースティックスピーカ（１）の内部容積（２３）を形成する、
ことを特徴とする、アコースティックスピーカ（１）。
【請求項２】
前記長手軸線（Ｌ）に沿って長円形であり、前記アコースティックスピーカ（１）の後部分（５）が前記長手軸線（Ｌ）に沿って前記アーマチュア（７）の前記外側部分（１９）によって形成され、前記アコースティックスピーカ（１）の前部分（３）が前記長手軸（Ｌ）に沿って少なくとも部分的に前記シェル（９）によって形成される、請求項１に記載のアコースティックスピーカ（１）。
【請求項３】
前記アーマチュア（７）が前記横断軸線（Ｔ）に沿って前記２つのラウドスピーカ（１３Ａ、１３Ｂ）の間に配置された内側部分（２１）を備え、前記シェル（９）が、スクリューナットシステム（４５、４７）によって、好ましくは単一のスクリューナットシステム（４５、４７）によって前記内側部分（２１）に締結される、請求項１又は２に記載のアコースティックスピーカ（１）。
【請求項４】
前記２つのラウドスピーカ（１３Ａ、１３Ｂ）が、前記アーマチュア（７）の前記内側部分（２１）に堅固に締結され、前記アーマチュア（７）によって形成されるもの以外に前記シェル（９）との間に堅固な接続部を持たないことが好ましい、請求項３に記載のアコースティックスピーカ（１）。
【請求項５】
前記シェル（９）及び前記アーマチュア（７）の前記外側部分（１９）が、２つの湾曲縁（３３、３９）をそれぞれ含み、前記２つの湾曲縁（３３、３９）が相互に隣り合い、前記アコースティック囲繞体（１）が、前記２つの湾曲縁（３３、３９）の間に配列され前記２つの湾曲縁（３３、３９）に沿って延びるループを形成する密封ガスケット（３７）を含む、請求項１〜４のいずれか１項に記載のアコースティックスピーカ（１）。
【請求項６】
−前記シェル（９）が、前記長手軸線（Ｌ）及び前記横断軸線（Ｔ）に対して直交する軸線（Ｅ）に沿って見て概ねＵ字形であり、
−前記アーマチュア（７）の前記外側部分（１９）が前記横断軸線（Ｔ）に沿って見て概ねＵ字形である、
請求項１〜５のいずれか１項に記載のアコースティックスピーカ（１）。
【請求項７】
前記２つの開口（１１Ａ、１１Ｂ）がそれぞれ好ましくは円形の２つの縁（７１）を境界とし、前記アコースティックスピーカ（１）が、それぞれ前記２つの縁（７１）によってオーバーモールドされた少なくとも２つの金属インサート（１７Ａ、１７Ｂ）を備える、請求項１〜６のいずれか１項に記載のアコースティックスピーカ（１）。
【請求項８】
−前記２つのラウドスピーカ（１３Ａ、１３Ｂ）の各々が音波を発するのに適するメンブレン（５７Ａ、５７Ｂ）を備え、
−前記シェル（９）が、前記長手軸線（Ｌ）に沿って順次、球体部を形成する前部分（５１）と、円筒形部を形成する中間部分（５３）と、長手方向に前記２つのラウドスピーカ（１３Ａ、１３Ｂ）の前記メンブレン（５７Ａ、５７Ｂ）の背後に配置された２つの後壁（５５Ａ、５５Ｂ）と、を備える、
請求項１〜７のいずれか１項に記載のアコースティックスピーカ（１）。
【請求項９】
更に、それぞれ前記シェル（９）の前記後壁（５５Ａ、５５Ｂ）によってオーバーモールドされた２つの金属インサート（１７Ａ、１７Ｂ）を備える、請求項８に記載のアコースティックスピーカ（１）。
【請求項１０】
前記シェル（９）が、
−ポリカーボネート及び１５質量％〜２５質量%のグラスファイバを含む内側層（６５）と、
−アクリロニトリルブタジエンスチレン（ＡＢＳ）を含む外側層（６７）と、
を備える、
請求項１〜９のいずれか１項に記載のアコースティックスピーカ（１）。
【発明の詳細な説明】
【技術分野】
【０００１】
本発明は、
−金属アーマチュアと、
−アーマチュアに締結されたプラスチックシェルであって、シェルが少なくとも２つの開口を形成する、プラスチックシェルと、
−横断軸線に沿って背中合わせ（back to back）に配列された少なくとも２つのラウドスピーカであって、２つのラウドスピーカが、それぞれ２つの開口を通過して延びる、ラウドスピーカと、
を含む、アコースティックスピーカに関する。
【背景技術】
【０００２】
小型アコースティックスピーカにおいて、ラウドスピーカは、特にウーファは、比較的嵩の大きい要素である。ラウドスピーカは、そのメンブレンの動きが、アコースティックスピーカの時を得ない動きを生じる可能性のある振動を生成しないように、頭尾式（head to tail）に配列される。
【０００３】
大きい容積及びこのような相対的位置を持つので、ラウドスピーカは、例えばスクリューによって相互にシェルの異なる部分に締結される。その後、異なる部分は、シェルを形成して２つのラウドスピーカを頭尾の位置に配置するように、相互に組み立てられる。
【０００４】
その結果、シェルは、特にスピーカが小型の場合スピーカの使用者の目又は手に触れ易い接合部などの組立て線を持つ。このような組立て線は、時に、アコースティックスピーカの滑らかな外観を損なうので、美的に好ましくないと見なされる。
【発明の概要】
【発明が解決しようとする課題】
【０００５】
本発明は、概略的に使用者がより美的に好ましいと感じるようなより滑らかな外観を有するアコースティックスピーカを提案することを目的とする。
【課題を解決するための手段】
【０００６】
このために、本発明は、上述のタイプのアコースティックスピーカに関するものであり、
−シェルは一体型であり、
−シェルとアーマチュアの外側部分は、長手軸線に沿って相互に入れ子構成するのに適し、外側部分とシェルは、少なくとも部分的に、アコースティックスピーカの内部容積を形成する。
【０００７】
具体的実施形態によれば、アコースティックスピーカは、単独で又は技術的に可能な任意の組合せによって、下記の特徴の１つ又はそれ以上を含む。即ち、
−アコースティックスピーカは長手軸線に沿って長円形であり、長手軸線に沿ってアコースティックスピーカの後部分はアーマチュアの外側部分によって形成され、長手軸線に沿ってアコースティックスピーカの前部分は少なくとも部分的にシェルによって形成され、
−アーマチュアは、横断軸線に沿って２つのラウドスピーカの間に配置された内側部分を備え、シェルは、スクリューナットシステム好ましくは単一のスクリューナットシステムによって内側部分に締結され、
−２つのラウドスピーカはアーマチュアの内側部分に堅固に締結され、かつアーマチュアによって形成されるもの以外にシェルとの堅固な接続部が一切ないことが好ましく、
−シェルとアーマチュアの外側部分は、２つの湾曲縁をそれぞれ含み、２つの湾曲縁は相互に隣り合い、アコースティック囲繞体は、２つの湾曲縁の間に配列されて２つの湾曲縁に沿って延びるループを形成する密封ガスケットを含み、
−シェルは、長手軸線及び横断軸線に対して直交する軸線に沿って見て概ねＵ字形であり、アーマチュアの外側部分は、横断軸線に沿って見て概ねＵ字形であり、
−２つの開口は、それぞれ２つの縁を境界とし、好ましくは円形であり、アコースティックスピーカは、それぞれ前記２つの縁によってオーバーモールドされた少なくとも２つの金属インサートを備え、
−２つのラウドスピーカの各々は、音波を発するのに適するメンブレンを備え、シェルは、長手軸線に沿って順次、球体部を形成する前部分と、円筒部を形成する中間部分と、長手方向に２つのラウドスピーカのメンブレンの背後に配置された２つの後壁と、を備え、
−アコースティックスピーカは、更に、それぞれシェルの後壁によってオーバーモールドされた２つの金属インサートを備え、
−シェルは、
−ポリカーボネート及び１５質量%〜２５質量％のグラスファイバを含む内側層と、
−アクリロニトリルブタジエンスチレン（ＡＢＳ）を含む外側層と、
を備える。
【０００８】
本発明は、添付図面を参照して単に実施例として示す下記の説明を読むことによってさらに良く理解できる。
【図面の簡単な説明】
【０００９】
【図１】本発明に係るアコースティックスピーカの斜視図である。
【図２】長手軸線に沿って分解した図１のアコースティックスピーカの斜視図であり、アコースティックスピーカ内部のラウドスピーカ及びその他の要素は図示しない。
【図３】図１及び２の前処理組立体の裏面図である。
【図４】図１及び２のアコースティックスピーカの前面図である。
【図５】アコースティックスピーカの長手軸線及びラウドスピーカによって形成された横断軸線を含む平面に沿って見た図１〜４に示すシェルの断面図である。
【図６】図５と同じ平面の断面で示す図１及び２のシェル及びアーマチュアの詳細図である。
【図７】図１〜６のシェルの中のインサートの１つの前面図である。
【００１０】
本発明に係るアコースティックスピーカ１について、図１及び２を参照して説明する。
【００１１】
アコースティックスピーカ１は、例えば、アクティブスピーカである。即ち、音響信号リーダと増幅器（本発明を説明するために、関連しないスピーカの他の電気又は電子要素と同様、図示しない）を備える。
【００１２】
図示する実施例において、アコースティックスピーカは、好ましくは水平の面Ｓの上に乗る。アコースティックスピーカは、例えば、長手軸線Ｌに沿って概ね長円形を有する。長手軸線は、図３に示すように面Ｓと所定の角度を形成することが有利である。アコースティック囲繞体は、長手軸線Ｌに沿って前部分３と後部分５とを形成することが好ましく、前部分は、面Ｓに対して後部分より高い。
【００１３】
アコースティックスピーカは、金属アーマチュア７と、アーマチュアに締結されたプラスチックシェル９とを備える、シェルは、少なくとも２つの開口１１Ａ及び１１Ｂを形成する。アコースティックスピーカは、例えば長手軸線Ｌに対して直角を成す横断軸線Ｔに沿って背中合わせに配列された２つのウーファ１３Ａ及び１３Ｂ（図１には１つのみ示す）を備える。２つのウーファ１３Ａ及び１３Ｂは、それぞれ、開口１１Ａ及び１１Ｂを通過して延びる。
【００１４】
「ウーファ」は、１０００Ｈｚ未満好ましくは５００Ｈｚ未満、より好ましくは１５０Ｈｚ未満の周波数を持つ音波を拡散するのに適するラウドスピーカを意味する。
【００１５】
アコースティックスピーカ１は、例えば前部分３においてシェル９によって形成されたハウジング１５の中に固定される第３ラウドスピーカ（図示せず）を備えると有利である。
【００１６】
アコースティックスピーカは、横断軸線Ｔに対して直角を成しかつ長手軸線Ｌを含む平面Ｐにおいて相互に対称的な２つの金属インサート１７Ａ及び１７Ｂを備え、そのうちの１つを図７に示す。
【００１７】
アコースティック囲繞体は、この平面Ｐに対して対称的外観を有する。
【００１８】
ハウジング１５の中に配置された第３ラウドスピーカ（図示せず）は、例えば、長手軸線Ｌを中心とする。有利なのは、３００Ｈｚ〜２０Ｈｚ又は１５０Ｈｚ〜４０ｋＨｚの周波数の音波を拡散するのに適する。
【００１９】
アーマチュア７は、例えばアルミニウムから作られた鋳造部品であることが有利である。アーマチュア７は、アコースティックスピーカの後部分５を形成する外側部分１９と、外側部分に固定され平面Ｐに沿って延びる内側部分２１とを備える。
【００２０】
外側部分１９とシェル９は、一緒に、アコースティックスピーカの内部容積２３（図２）を形成する。
【００２１】
外側部分１９は、アコースティックスピーカの作動時に内部容積２３の中で生じた熱を排出するのに適する複数のフィン２７（図６）を含む後部２５を含む。
【００２２】
外側部分１９は、後部２５から長手軸線Ｌに沿ってラウドスピーカ１３Ａ、１３Ｂの下方を前進するソールプレート２９を含む。
【００２３】
アーマチュアの外側部分１９とシェル９は、長手軸線Ｌに沿って相互に入れ子構成するのに適する。
【００２４】
横断軸線Ｔに沿って見て、外側部分１９は、概ねＵ字形であると有利である。
【００２５】
Ｕ字形の枝の１つは、ソールプレート２９によって形成され、例えば、他方の枝より大きい。
【００２６】
フィン２７は、例えば、平面Ｐに対して平行であり、アコースティックスピーカの前部分３と同じ曲率を持つ球体囲繞体３１（図６）を境界にすると有利である。
【００２７】
外側部分１９は、溝３５を形成する湾曲縁３３を含み、溝の中に、ループを形成する密封ガスケット３７が配置される。
【００２８】
湾曲縁３３は、シェル９の湾曲縁３９に隣接し、密封ガスケット３７は２つの湾曲縁３３及び３９の間に配置される。
【００２９】
内側部分２１は、２つのラウドスピーカ１３Ａ、１３Ｂの及びシェル９の締結支持体を形成する。内側部分２１は、例えば、内側部分２１にラウドスピーカ１１Ｂを締結するのに適する口４１（図２）を形成する。例えば、スクリュー（図示せず）が口４１を介してラウドスピーカ１１Ｂの中へネジ入れられる。
【００３０】
内側部分２１は、ラウドスピーカ１１Ａが例えば接着される面４３を形成する。
【００３１】
シェル９は一体型である。「一体型」とは、シェル９が単一のピースであり、機械的手段によって相互に取り付けられた部分を含まないことを意味する。シェル９は、内側部分に締結されたドエルピン４５とこのドエルピンにネジ式に嵌められたナット４７とを含む単一のスクリュー／ナットシステムによって内側部分  ２１に締結されると有利である。１つ又は数個のワッシャ４９が、シェル９と内側部分２１との間の軸方向の間隔を調節するために、この２つの部品の間でドエルピン４５上に嵌められる。
【００３２】
シェル９は、長手軸線Ｌに沿って順次、球体部を形成する前部分５１と、円形部を形成する中間部分５３と、長手方向に２枚のメンブレン５７Ａ、５７Ｂの背後に配置された２つの後壁５５Ａ、５５Ｂと、を備える。
【００３３】
シェル９は、ラウドスピーカ１３Ａ、１３Ｂの下方に配置されアーマチュア７のソールプレート２９の部分を隠ぺいするスカート５９（図４）を備える。
【００３４】
アコースティックスピーカの前部分３は、少なくとも部分的にシェル９によって形成される。
【００３５】
シェル９は、長手軸線Ｌ及び横断軸線Ｔに直交する軸線Ｅに沿って見て概ねＵ字形である。
【００３６】
前部分５１は、上述のハウジング１５を形成する。前部分５１によって形成された球体部は、長手軸線Ｌ上の点を中心とする。
【００３７】
中間部分５３によって形成された円筒形部は、長手軸線Ｌを中心とする。
【００３８】
後壁５５Ａ、５５Ｂは、例えば、平面Ｐに対して平行である。後壁は、湾曲縁３９上に２本のレール６１Ａ、６１Ｂを形成する（図５及び６）。
【００３９】
レール６１Ａ、６１Ｂは、それぞれアーマチュアの外側部分２５の湾曲縁３３によって形成された溝６３Ａ、６３Ｂの中に受け入れられる。
【００４０】
レール６１Ａ、６１Ｂ及びこれに対応する溝６３Ａ、６３Ｂは、例えば、横断軸線Ｔに沿って見て円形である。
【００４１】
開口１１Ａ、１１Ｂは、円形であり、横断軸線Ｔを中心軸とすると有利である。開口１１Ａ、１１ＢＡは、ラウドスピーカ１３Ａ、１３Ｂを横断軸線Ｔに沿って並進させることによって内部容積２３の中へ挿入できるようにする。
【００４２】
シェル９は、内部容積２３の境界となる内側層６５（図５及び６）と、アコースティックスピーカの外部から見える外側層６７又はトリム層と、を備える。
【００４３】
内側層６５は外側層６７より厚い。内側層は、例えば、１５質量％〜２５質量％のグラスファイバで強化されたポリカーボネート（ＰＣ）を含む。
【００４４】
外側層６７は、例えば、アクリロニトリルブタジエンスチレン（ＡＢＳ）から作られる。
【００４５】
インサート１７Ａ、１７Ｂは、構造的に相互に同じであると有利である。インサートは、上述のように平面Ｐの両側に対称的に配列される。したがって、インサート１７Ａについてのみ図７を参照して下に説明する。
【００４６】
インサート１７Ａは、ステンレス鋼から作られると有利である。インサートは、例えば０.６ｍｍ〜１.５ｍｍの厚みを持つ金属シートから作られる。
【００４７】
インサート１７Ａは、開口１１Ａの境界となるシェル９の縁７１に配置される円形部分６９と、後壁５５Ａに配置される隣接部分７３とを備える。
【００４８】
円形部分の役割は、開口１１Ａの境界となるシェル９の縁を強化することである。実際、ラウドスピーカ１３Ａ、１３Ｂは、アーマチュア７の内側部分２１に堅固に締結され、アーマチュアによって形成されるもの以外にシェル９との間に堅固な接続部はない。したがって、縁７１は、ラウドスピーカ１３に対して突き出される。ラウドスピーカ１３Ｂ及び開口１１Ｂの境界となるシェルの縁は、平面Ｐに対して対称的であり、同じことが言える。
【００４９】
隣接部分７３は、後壁５５Ａを強化する。このことは、特に、ポンピング現象即ちラウドスピーカ１３Ａ、１３Ｂのメンブレン５７Ａ、５７Ｂの横断移動によって生じる内部容積２３における圧力変動による後壁５５Ａの振動を回避する。
【００５０】
アコースティック囲繞体１の組立てについて下に簡単に説明する。
【００５１】
アコースティックスピーカを組み立てる際、まず電子要素（図示せず）を内部容積２３においてアーマチュア７に締結する。次に、アーマチュア７とシェル９を、長手軸Ｌに沿って入れ子構成することによって組み立てる。レール６１Ａ、６１Ｂを溝６３Ａ、６３Ｂに収容する。密封ガスケット３７をアーマチュアの外側部分１９の湾曲縁３３とシェルの湾曲縁３９との間に圧迫する。
【００５２】
ナット４７は、アーマチュア７にシェルを締結するためにドエルピン４５上にネジ式に嵌められる。締結のために単一のネジ／ナットシステムを必要とする。
【００５３】
ワッシャ４９の数及び厚みは、長手軸線Ｌに沿ったアーマチュアとシェルとの間の距離を調節できるようにする。
【００５４】
その後、シェル１１Ｂの開口を介して横断軸線Ｔに沿ってラウドスピーカ１３Ｂを内部容積２３の中へ導入する。ラウドスピーカ１３Ｂは、口４１の中へ導入されたスクリュー（図示せず）を使用して内側部分２１に締結され、ラウドスピーカ１３Ｂに対して内側部分２１の反対側からネジ止めされる。
【００５５】
次に、開口１１Ａを介して横断軸線Ｔに沿ってラウドスピーカ１３Ａを内部容積２３の中へ導入する。次に、ラウドスピーカ１３Ａを内側部分２１の接着面４３に接着する。
【００５６】
締結前に、ラウドスピーカ１３Ａ、１３Ｂは、増幅器（図示せず）電気的に接続される。
【００５７】
第３ラウドスピーカ（図示せず）はハウジング１５の中に締結される。
【００５８】
上述の特徴を持つので、アコースティクスピーカの組立ては容易であり、シェル９はより円滑な外観を持つ。
【図１】
2020061738.tif 000003
【図２】
2020061738.tif 000004
【図３】
2020061738.tif 000005
【図４】
2020061738.tif 000006
【図５】
2020061738.tif 000007
【図６】
2020061738.tif 000008
【図７】
2020061738.tif 000009
【外国語明細書】
2020061738000001.pdf